(57)【要約】      （修正有）【課題】製品の大きさに対し、最小限の面積のブリスタを使用し、しかも開封と分別が容易なパッケージ構造を提供する。【解決手段】パッケージ構造はブリスタ１と台紙３とからなる。ブリスタ１は製品４を収納する収納部１０と、これを塞ぐ蓋体２０とからなる。収納部１０の両側部に翼部が形成され、台紙３の挿入口３１にそれぞれ差し込んで、ステプラーや粘着テープなどでブリスタ１と台紙３とを固定する。【選択図】図１
2011251764.tif 000002
【特許請求の範囲】
【請求項１】
製品を収納する収納体を、台紙などの平面体に取り付けるパッケージ構造であって、前記収納体が収納部と蓋体とからなり、前記収納部及び／又は蓋体に少なくとも一つの翼部を形成し、前記平面体に挿入口を形成し、前記翼部を前記挿入口に挿入し、前記翼部と前記平面体とを固定する手段を設けたことを特徴とするパッケージ構造。
【請求項２】
前記パッケージ構造において、前記翼部を前記収納部の両側部に形成し、前記平面体に２つの挿入口を形成し、前記蓋体が前記収納部の開口部に僅かに嵌るような凸面部が形成され、前記蓋体の両側幅が、前記翼部を前記蓋体側へ撓ませた際に前記翼部の根元部分が前記蓋体に押し出さないことを特徴とする請求項１記載のパッケージ構造。
【発明の詳細な説明】
【技術分野】
【０００１】  本発明は、製品を透明な樹脂などで製品形状に沿った形成された収納体にはめ込んで、これを台紙などの平面体に固定して店頭などに陳列するためのパッケージ構造に関する。
【背景技術】
【０００２】  近年、製品のパッケージは、製品を保護する目的もあり、ＰＥＴなどの透明で肉薄な樹脂で、製品を覆うように形成された収納体（以下「ブリスタ」を用いる）に嵌め込むようにして収納し、その収納面を台紙などの平面体で覆い、ブリスタと台紙とを何らかの手段で固定するものが主流となっている。【０００３】  固定手段としては、ブリスタと台紙とを熱圧着などにより直接に接着する圧着式や、ブリスタの周縁部に折り曲げて、溝を形成し、その折り曲げ溝に台紙を差し込んで、その差込部分をステプラーや粘着テープなどで固定するスライド式が多い。
【発明の概要】
【発明が解決しようとする課題】
【０００４】  しかしながら、圧着式はブリスタの大きさを最小限にできるものの、開封する際に、ブリスタに台紙から剥がれた紙の一部が残ってしまう。近年環境問題から分別しやすい製品を求められるようになってきており、この圧着式はこの需要にそぐわないことになる。【０００５】  一方、スライド式においては、台紙よりも大きい面積のブリスタが必要であり、特に製品の大きさが台紙に比し小さければ小さいほど、無駄な面積のブリスタが使われれることになる。これは、所詮「捨てられる運命にあるブリスタ」と考えると、経済的にも資源保護の観点からも無駄が多いことになる。【０００６】  そこで本発明は、この課題を解決するために、製品の大きさに対し、最小限の面積のブリスタを使用し、しかも開封と分別が容易なパッケージ構造を提供することを目的とする。
【課題を解決するための手段】
【０００７】  上記目的を達成するため本発明は、製品を収納する収納体を、台紙などの平面体に取り付けるパッケージ構造であって、前記収納体が収納部と蓋体とからなり、前記収納部及び／又は蓋体に少なくとも一つの翼部を形成し、前記平面体に挿入口を形成し、前記翼部を前記挿入口に挿入し、前記翼部と前記平面体とを固定する手段を設けるようにした。【０００８】  ここで、例えば、この収納体はＰＥＴ（ｐｏｌｙｅｔｈｙｌｅｎｅ  ｔｅｒｅｐｈｔｈａｌａｔｅ）樹脂の透明な薄材で形成され、平面体は比較的な厚手の紙で形成された台紙であり、この台紙に挿入口として幅小のスリットを形成し、翼部をこのスリットに差し込んで、翼部と台紙とをステプラーや粘着テープなどで固定することにより、蓋体が収納部を塞いだ状態で製品をパッケージすることができる。【０００９】  さらに、本発明では、前記パッケージ構造において、前記翼部を前記収納部の両側部に形成し、前記平面体に２つの挿入口を形成し、前記蓋体が前記収納部の入り口に僅かに嵌るような凸面に形成され、前記蓋体の両側幅が、前記翼部を前記蓋体側へ折り曲げた際に前記翼部の根元部分が前記蓋体に押し出さないようにした。【００１０】  これによって、両側に張り出した２つの翼部を折り曲げるようにして、それぞれ片方の挿入口に差し込む際に、翼部が収納部に嵌合した蓋体を押し出すことなく、スムーズに挿入でき、翼部と平面体とを固定することにより、容易に確実にパッケージできる。
【発明の効果】
【００１１】  請求項１の製品を収納する収納体を、台紙などの平面体に取り付けるパッケージ構造であって、前記収納体が収納部と蓋体とからなり、前記収納部及び／又は蓋体に少なくとも一つの翼部を形成し、前記平面体に挿入口を形成し、前記翼部を前記挿入口に挿入し、前記翼部と前記平面体とを固定する手段を設けたパッケージ構造とすることにより、収納体の大きさを最小限にとどめ、しかも開封と分別が容易に出来る。【００１２】  さらに、本発明では、前記パッケージ構造において、前記翼部を前記収納部の両側部に形成し、前記平面体に２つの挿入口を形成し、前記蓋体が前記収納部の入り口に僅かに嵌るような凸面に形成され、前記蓋体の両側幅が、前記翼部を前記蓋体側へ折り曲げた際に前記翼部の根元部分が前記蓋体に押し出さないようにしたことにより、翼部を容易に挿入口へ差し込み、確実な包装作業が容易に行える。
【発明を実施するための最良の形態】
【００１３】  本発明の実施の形態について添付した図面に基づき説明する。ここで図１は本発明に係る一実施形態のパッケージ構造のブリスタと台紙の全体形状を説明する斜視図、図２はパッケージ構造を閉じた状態を説明する斜視図、図３は図２のＡ−Ａ断面図、図４は展開したブリスタの平面、図５はブリスタを図４のＢ−Ｂ線で切断した切断面を説明する模式図である。尚、本説明において、ブリスタは０．２ｍｍ程度の厚みしかないため、各図面におけるブリスタは、便宜上、ハッチングすることなく線で表現している。【００１４】  図１に示すように、本実施形態のパッケージは、収納体であるブリスタ１と、平面体である台紙３とからなり、図２及び図３に示すように、製品４をブリスタ１に収納して、これを台紙３に装着して固定することによりパッケージを閉じた状態となる。【００１５】  図１、図４及び図５に示すように、ブリスタ１は、製品４を入れるために、その形状に沿い、且つそれより僅かに大きな形に形成された収納部１０と、これを塞ぐ蓋体２０とからなり、収納部１０の開口部１１に僅かに嵌るような凸面部２１が形成されミシン目１２で蓋体２０を折り返すようにして収納部１０を塞ぐ。【００１６】  収納部１０の両側部には、外側へ張り出すように翼部１３が形成され、後述するように台紙３の挿入口３１にそれぞれ差し込んで固定する。また、翼部１３の根元部分にはクビレ部１４が形成され、翼部１３を挿入口３１に差し込んで、ステプラーや粘着テープなどで固定するまでの間、脱落しないように仮止めできる。【００１７】  台紙３には、ブリスタ１の翼部１３を差し込む挿入口３１が２つ形成され、その長辺の長さはクビレ部１４とほぼ同じである。また、その中間位置には除き窓３３が形成され、パッケージをした状態で、裏側から製品４の裏面の状態を確認できるように設けられている。【００１８】  次に、実際のパッケージの手順を説明する。
まず、製品４を収納部１０にしっかりと嵌め込む。次にミシン目１２でブリスタ１を折り返して、蓋体２０の凸面部２１を収納部１０の開口部１１にはめ込む。【００１９】  両方の翼部１３を蓋体２０側へ撓ませる。翼部１３の付け根に当たるクビレ部１４付近まで大きく撓むものの、クビレ部１４は蓋体２０の両側面の幅より僅かに広い位置に有り、撓んだ翼部１３は蓋体２０には当接せず、その結果、凸面部２１を開口部１１から押し出すことを防止でき、収納部１０を蓋体２０で閉じたい状態で、翼部１３を挿入口３１に挿入できる。その後、クビレ部１４で仮止めされたブリスタは、最終的な固定手段であるステプラーや粘着テープにより固定される。【００２０】  本発明のパッケージ構造は、ブリスタの大きさを収納する製品の大きさに対して最小限とすることができ、しかも開封と分別が容易であることから、省資源という面で効果的な構造である。【００２１】  また、熱圧着のように専用の包装機械やそれを動かす動力などを必要としないため、特に設備投資などの必要がなく、小規模の製造でも導入に適している。【００２２】  尚、本発明は以上のような実施形態に限定されるものではない。本発明の特許請求の範囲に記載した事項と実質的に同一の構成を有し、同一の作用効果を奏するものは本発明の技術的範囲に属する。【００２３】  上記実施形態では、平面体を台紙としての紙を使用していたが、樹脂や木材などでも良い。また、収納体は最も一般的なＰＥＴ樹脂の透明なものを使用していたが、樹脂はこれに限らないだけでなく、樹脂だけでなく、紙材などパッケージの必要性により任意である。
【産業上の利用可能性】
【００２４】  本発明のパッケージ構造は、多くの日用品などのパッケージに利用できるため、本発明の効果であるパッケージ材の少量化と分別により省資源に大きく貢献するものである。
【図面の簡単な説明】
【００２５】
【図１】  本発明に係る一実施形態のパッケージ構造のブリスタと台紙の全体形状を説明する斜視図
【図２】  パッケージ構造を閉じた状態を説明する斜視図
【図３】  図２のＡ−Ａ断面図
【図４】  展開したブリスタの平面
【図５】  ブリスタを図４のＢ−Ｂ線で切断した切断面を説明する模式図
【符号の説明】
【００２６】１…ブリスタ、３…台紙、４…製品、１０…収納部、１１…開口部、１３…翼部、２０…蓋体、２１…凸面部、３１…挿入口。
【図１】
2011251764.tif 000003
【図２】
2011251764.tif 000004
【図３】
2011251764.tif 000005
【図４】
2011251764.tif 000006
【図５】
2011251764.tif 000007